(57)【要約】【課題】電子機器の筐体の外壁面に設けられる直付け用の同軸ケーブル接続端子において、コストアップを招くことなく、芯線用端子を高周波ノイズから保護することができ、しかも、同軸ケーブルを強固に固定できるようにする。【解決手段】同軸ケーブル接続端子においては、芯線用端子２０が壁部３０と載置部３２とで囲まれており、その上方には、蓋体４０が配置されている。蓋体４０の載置部３２との対向位置には、載置部３２との間で同軸ケーブルの外部導体を挟持するための挟持部が設けられており、載置部３２と挟持部には、外部導体の外形形状に対応して円弧状の凹部が形成されている。蓋体４０は、支持ねじ５０による締め付けを緩めることで、壁部３０及び載置部３２に対し接離可能になり、支持ねじ５０を締め付ければ、蓋体４０の凹部と載置部３２の凹部との間で同軸ケーブルの外部導体を挟持できる。【選択図】図３
2010238607.tif 000002
【特許請求の範囲】
【請求項１】
導電性材料にて形成されて電子回路を収納する筐体の外壁面に設けられ、先端側から芯線及び外部導体が順に露出するよう加工された同軸ケーブルの先端を直付けして、筐体内部の電子回路に高周波信号を入出力するための同軸ケーブル接続端子であって、
前記筐体に穿設された孔に絶縁材を介して装着され、前記同軸ケーブルの芯線を固定して、内部回路と接続するための芯線用端子と、
前記芯線用端子及び該芯線用端子に接続される芯線を囲むように前記筐体の外壁面に立設された断面Ｕ字状の壁部と、
前記壁部において前記芯線が挿入される側の開口部分に、前記壁部よりも低い高さで当該開口部分を閉塞するよう、前記筐体の外壁面に立設され、しかも、前記開口部分の中央には、前記同軸ケーブルの外部導体を載置可能な円弧状の凹部が形成された載置部と、
導電性材料にて前記前記筐体とは別体で構成され、前記壁部の先端全域に接触して前記芯線用端子を覆い、且つ、前記載置部との対向位置まで延設された板状の蓋体であって、前記載置部との対向位置には、前記載置部の凹部との間で前記外部導体を挟持可能な円弧状の凹部を有する挟持部が突設された蓋体と、
前記載置部で前記凹部の外側に形成されたねじ孔に螺合されることにより、前記蓋体を前記載置部及び前記壁部に対し接離可能に支持する支持ねじと、
を備え、前記壁部及び前記載置部は導電性材料にて前記筐体と一体に形成されていることを特徴とする同軸ケーブル接続端子。
【請求項２】
前記壁部及び前記載置部は、ダイキャストにて前記筐体と一体形成されていることを特徴とする請求項１に記載の同軸ケーブル接続端子。
【請求項３】
テレビ信号を分岐、分配、若しくは中継するための電子回路が収納された筐体を備え、前記筐体の前面に、テレビ端子が設けられ、前記筐体の側面に、同軸ケーブルを介してテレビ信号を入力若しくは入出力するための入出力端子が設けられた直列ユニットであって、
前記入出力端子として、請求項１又は請求項２に記載の同軸ケーブル接続端子を備えたことを特徴とする直列ユニット。
【発明の詳細な説明】
【技術分野】
【０００１】
本発明は、電子回路を収納する筐体の外壁面に設けられ、同軸ケーブルを介して筐体内部の電子回路に高周波信号を入出力するための同軸ケーブル接続端子、及び、その接続端子を備えた直列ユニットに関する。
【背景技術】
【０００２】
従来、テレビ信号を分岐・分配する直列ユニット等で、筐体の外壁面に同軸ケーブルを直付けするのに用いられる接続端子は、同軸ケーブルを、先端側から芯線及び外部導体が順に露出するように加工し、その露出した芯線及び外部導体を、対応する端子にねじ等で固定するように構成されている。
【０００３】
また、同軸ケーブルの芯線を接続するための芯線用端子を筐体の外壁面に設けただけでは、芯線に外部ノイズが重畳されて、テレビの映りが悪くなることがあるので、芯線用端子の周りを、筐体の外壁面に平行な軸周りに回動可能な蓋体で囲み、シールドするように構成されたものも知られている（例えば、特許文献１、２等参照）。
【先行技術文献】
【特許文献】
【０００４】
【特許文献１】特開平９−９２３６１号公報
【特許文献２】特許第３８６０９１６号公報
【発明の概要】
【発明が解決しようとする課題】
【０００５】
上記特許文献１、２に開示された同軸ケーブル接続端子によれば、芯線用端子の周りを蓋体で囲むことから、高周波ノイズの侵入を抑制することはできる。しかし、蓋体には、同軸ケーブルを挿通するための開口が設けられることから、その開口からの高周波ノイズが侵入し、充分なシールド効果が得られないという問題があった。
【０００６】
また、従来の同軸ケーブル接続端子では、蓋体を閉じることで、外部導体を筐体の外壁面との間で挟持するようにされているため、同軸ケーブルが外方向に引っ張られると、蓋体が変形して、外部導体と筐体との接続が不安定になるという問題もあった。
【０００７】
また、従来の同軸ケーブル接続端子では、蓋体が、芯線用端子に対し上下に開閉できるように軸支されるため、蓋体の支持構造が複雑で、コストアップを招くという問題もある。
【０００８】
本発明は、こうした問題に鑑みなされたものであり、電子回路を収納する筐体の外壁面に設けられて同軸ケーブルを直付けするための同軸ケーブル接続端子において、コストアップを招くことなく、芯線用端子及び同軸ケーブルの芯線を高周波ノイズから保護することができ、しかも、同軸ケーブルをしっかりと固定できるようにすることを目的とする。
【課題を解決するための手段】
【０００９】
かかる目的を達成するためになされた請求項１に記載の発明は、
導電性材料にて形成されて電子回路を収納する筐体の外壁面に設けられ、先端側から芯線及び外部導体が順に露出するよう加工された同軸ケーブルの先端を直付けして、筐体内部の電子回路に高周波信号を入出力するための同軸ケーブル接続端子であって、
前記筐体に穿設された孔に絶縁材を介して装着され、前記同軸ケーブルの芯線を固定して、内部回路と接続するための芯線用端子と、
前記芯線用端子及び該芯線用端子に接続される芯線を囲むように前記筐体の外壁面に立設された断面Ｕ字状の壁部と、
前記壁部において前記芯線が挿入される側の開口部分に、前記壁部よりも低い高さで当該開口部分を閉塞するよう、前記筐体の外壁面に立設され、しかも、前記開口部分の中央には、前記同軸ケーブルの外部導体を載置可能な円弧状の凹部が形成された載置部と、
導電性材料にて前記前記筐体とは別体で構成され、前記壁部の先端全域に接触して前記芯線用端子を覆い、且つ、前記載置部との対向位置まで延設された板状の蓋体であって、前記載置部との対向位置には、前記載置部の凹部との間で前記外部導体を挟持可能な円弧状の凹部を有する挟持部が突設された蓋体と、
前記載置部で前記凹部の外側に形成されたねじ孔に螺合されることにより、前記蓋体を前記載置部及び前記壁部に対し接離可能に支持する支持ねじと、
を備え、前記壁部及び前記載置部は導電性材料にて前記筐体と一体に形成されていることを特徴とする。
【００１０】
また、請求項２に記載の発明は、請求項１に記載の同軸ケーブル接続端子において、前記壁部及び前記載置部は、ダイキャストにて前記筐体と一体形成されていることを特徴とする。
【００１１】
一方、請求項３に記載の発明は、テレビ信号を分岐、分配、若しくは中継するための電子回路が収納された筐体を備え、前記筐体の前面に、テレビ端子が設けられ、前記筐体の側面に、同軸ケーブルを介してテレビ信号を入力若しくは入出力するための入出力端子が設けられた直列ユニットであって、
前記入出力端子として、請求項１又は請求項２に記載の同軸ケーブル接続端子を備えたことを特徴とする。
【発明の効果】
【００１２】
請求項１に記載の同軸ケーブル接続端子によれば、芯線用端子が、筐体の外壁面に立設された断面Ｕ字状の壁部とそのＵ字の開口部分を閉塞する載置部とで囲まれている。また、壁部と載置部とで囲まれる芯線用端子の上方には、蓋体が支持ねじを介して接離可能に配置されている。
【００１３】
このため、芯線及び外部導体が順に露出するよう加工された同軸ケーブルの先端を載置部側から挿入して、芯線を芯線用端子に接続すると共に外部導体を載置部に載置し、その後、蓋体の挟持部が載置部に対向するよう蓋体を位置決めして、支持ねじを締め付ければ、同軸ケーブルの外部導体は、載置部の凹部と挟持部の凹部との間にしっかりと挟持されることになる。
【００１４】
そして、この状態では、芯線用端子は、壁部と載置部と蓋体とにより囲まれ、しかも同軸ケーブルの挿入部分は、同軸ケーブルの外部導体と載置部と蓋体とにより閉塞されることから、芯線用端子周囲の空間内に高周波ノイズが侵入することはなく、芯線用端子及びこれに接続される芯線に高周波ノイズが重畳されるのを防止できる。
【００１５】
また、蓋体は、載置部で凹部の外側に形成されたねじ孔に螺合される支持ねじにより支持され、この支持ねじのねじ孔への螺合量を調整することにより、蓋体の挟持部を載置部から離すことができる。そして、この状態で蓋体を支持ねじ周りに回転させれば、蓋体を芯線用端子の上方にも、また、その上方から外れた位置にも配置することができる。
【００１６】
このため、同軸ケーブルの芯線を芯線用端子に固定する際、その固定にねじを使用するようにした場合には、蓋体を芯線用端子の上方を開放する位置に配置することにより、蓋体に邪魔されることなく、同軸ケーブルの芯線を芯線用端子にねじ止めすることができるようになる。
【００１７】
なお、芯線用端子は、芯線をねじ止め固定するように構成してもよいが、芯線用端子を板ばね等で構成することにより、芯線を自身の弾性で固定するようにしてもよい。そして、この場合は、同軸ケーブルを接続する際、蓋体を、芯線用端子の上方を開放する位置に配置する必要がないので、接続作業がより簡単になる。
【００１８】
そして、このように、蓋体は、筐体（詳しくは載置部）に形成されたねじ孔に螺合される支持ねじを介して支持され、従来のように筐体の外壁面に平行な軸周りに回動可能に支持する必要がないため、その支持構造を簡単にして、製造コストを低減できる。
【００１９】
また蓋体において、載置部との間で同軸ケーブルの外部導体を挟持する挟持部は、芯線用端子の上部に配置される板状部よりも肉厚になり、その挟持部に形成された円弧状の凹部で同軸ケーブルの外部導体を挟持するので、同軸ケーブルの外部導体を強固に固定することができ、同軸ケーブルが外方向に引っ張られた際に、蓋体が変形するのを防止できる。
【００２０】
なお、筐体の外壁面に立設される壁部及び載置部は、導電性材料にて筐体と一体に形成されていればよく、例えば、金属板のプレス加工や曲げ加工等で形成してもよいが、より好ましくは、請求項２に記載のように、ダイキャストにて筐体と一体形成するとよい。
【００２１】
つまり、ダイキャストは、亜鉛、アルミニウム、マグネシウムなどの非鉄金属とその合金で、優れた寸法精度の製品を短時間に大量生産できることから、本発明の接続端子を備えた筐体（換言すれば電子機器ケース）を低コストで実現でき、しかも、同軸ケーブルを載置部の凹部でしっかりと支持することができるようになる。
【００２２】
そして、特に、蓋体もダイキャストにて形成すれば、蓋体を金属板にて構成した場合に比べて、蓋体の板状部分が厚くなるが、同軸ケーブルをより強固に固定することができるようになる。
【００２３】
また、このように、本発明の同軸ケーブル接続端子によれば、同軸ケーブルのシールド性を高めることができるだけでなく、同軸ケーブルを強固に固定できることから、請求項３に記載のように、直列ユニットの筐体の側面に設けられるテレビ信号の入出力端子として使用するとよい。
【００２４】
つまり、直列ユニットに本発明の同軸ケーブル接続端子を適用すれば、テレビ信号の入出力端子にノイズが侵入してテレビの映りが悪くなるのを防止することができるだけでなく、同軸ケーブルを強固に固定できるので、同軸ケーブルの配線工事の際の作業性を向上することができる。
【００２５】
具体的には、例えば、直列ユニットに同軸ケーブルを接続して、直列ユニットを建造物の壁面に設けられたアウトレットボックス内に収納した後、同軸ケーブルが引っ張られても、同軸ケーブルが直列ユニットから外れるようなことはないため、配線工事の際の作業性を向上することができるようになるのである。
【００２６】
また、直列ユニットには、テレビ信号の入出力端子をＦ形接栓にて構成したものも知られている。そして、芯線用端子がシールドされていない直付けタイプの入出力端子を備えた既存の直列ユニットを、ノイズ対策のために、Ｆ形接栓を備えた直列ユニットに交換しようとすると、既に配線されている同軸ケーブルにＦ形接栓への接続用のコネクタを接続しなければならず、交換作業に手間がかかる。
【００２７】
これに対し、請求項３に記載の直列ユニットによれば、直付けタイプの入出力端子を備えているので、既に配線されている同軸ケーブルをそのまま入出力端子に接続すればよく、その交換作業を極めて簡単に行うことができるようになる。
【図面の簡単な説明】
【００２８】
【図１】実施形態の直列ユニットの外観を表し、（ａ）は正面図、（ｂ）は上面図、（ｃ）は底面図、（ｄ）は左側面図、（ｅ）は右側面図である。
【図２】実施形態の直列ユニットの斜視図であり、（ａ）は同軸ケーブル接続端子を蓋体で閉塞した状態を表す斜視図、（ｂ）はその蓋体を開放した状態を表す斜視図である。
【図３】同軸ケーブル接続端子を同軸ケーブルの挿入方向から見た状態を表す斜視図である。
【図４】同軸ケーブル接続端子の外観を表し、（ａ）は同軸ケーブルの挿入方向から見た状態を表す正面図、（ｂ）はその右側面図である。
【図５】同軸ケーブル接続端子の芯線用端子の説明図であり、（ａ）は筐体への取り付け状態を表す断面図、（ｂ）は同軸ケーブルの接続状態を表す平面図である。
【発明を実施するための形態】
【００２９】
以下に本発明の実施形態を図面と共に説明する。
図１、図２に示すように、本実施形態の直列ユニット２は、ダイキャストにて矩形の箱状に形成された筐体４内に分岐回路（図示せず）を備えた分岐タイプのものであり、筐体４の前面には、テレビ端子としてのＦ型接栓６が突設されている。また、筐体４前面の左右両側には、建造物の壁面に埋設されたアウトレットボックスに取り付けられる取り付け枠に、当該直列ユニット２を装着するための装着部８が設けられている。
【００３０】
また、筐体４の左側面には、テレビ信号を入力するための同軸ケーブル接続端子１０、及び、Ｆ型接栓６と同様にテレビ信号を分岐出力するための同軸ケーブル接続端子１２が設けられ、筐体４の右側面には、テレビ信号を低損失で出力するための同軸ケーブル接続端子１４が設けられている。
【００３１】
次に、図３〜図５に示すように、本発明の主要部である同軸ケーブル接続端子１０〜１４は、筐体４に穿設された孔に、絶縁材としての端子ホルダ２６（図５参照）を介して装着された芯線用端子２０を備える。
【００３２】
この芯線用端子２０は、同軸ケーブルの芯線を接続するためのものであり、端子ホルダ２６に装着されて筐体４の孔に固定される台座部２２と、この台座部２２に穿設されたねじ孔に螺合されて、台座部２２との間に芯線を挟み固定するためのねじ２４とから構成されている。そして、台座部２２のねじ２４とは反対側は、筐体内部まで延設されて、内部回路（本実施形態では分岐回路）と接続できるようになっている。
【００３３】
また、芯線用端子２０が端子ホルダ２６を介して装着される筐体の孔の周囲には、芯線用端子２０及びこれに接続される芯線を囲むように、断面Ｕ字状の壁部３０が立設されている。また、この壁部３０において芯線が挿入される側の開口部分（Ｕ字の開口部分）には、その開口部分を壁部３０よりも低い高さで閉塞するように載置部３２が立設されている。なお、壁部３０及び載置部３２は、ダイキャストにて筐体４に一体形成されている。
【００３４】
載置部３２は、同軸ケーブルを、先端側から芯線及び外部導体が順に露出するように加工し、その芯線を芯線用端子２０に固定した際に、同軸ケーブルの外側導体を載置するためのものであり、壁部３０の開口部分中央には、外側導体の外周形状に対応して、円弧状の凹部３４（図４参照）が形成されている。
【００３５】
次に、この載置部３２と壁部３０の上には、筐体４とは別体で構成されたダイキャスト製の蓋体４０が設けられている。この蓋体４０は、壁部３０の先端内壁全域に接触して芯線用端子２０を覆う板状部４２と、この板状部４２から載置部３２との対向位置まで延設されて、載置部３２との間で同軸ケーブルの外部導体を挟持するための挟持部４４とからなる。そして、この挟持部４４において、載置部３２に形成された凹部３４との対向位置には、外側導体の外周形状に対応した円弧状の凹部４６が形成されている。
【００３６】
また、この挟持部４４において、凹部４６を挟んだ両側には、支持ねじ５０を通すための透孔（図示せず）が穿設されており、載置部３２において、凹部３４を挟んだ両側には、支持ねじ５０が螺合されて載置部３２を固定するためのねじ孔３６が穿設されている。
【００３７】
このように、本実施形態の同軸ケーブル接続端子１０〜１４においては、芯線用端子２０が壁部３０と載置部３２とで囲まれており、その上方には、蓋体４０が配置されている。そして、蓋体４０は、支持ねじ５０による締め付けを緩めることで、壁部３０及び載置部３２に対し接離可能になり、更に、２つの支持ねじ５０の一方を、ねじ孔３６から外せば、図２（ｂ）、図３に示すように、蓋体４０を他方の支持ねじ５０周りに回転させて、芯線用端子２０の上方を開放することができる。
【００３８】
従って、同軸ケーブルを接続する際には、上記のように芯線端子２０の上方を開放して、芯線用端子２０に同軸ケーブルの芯線をねじ止めし、その後、蓋体４０を壁部３０及び載置部３２の上方に配置し、各ねじ孔３６に支持ねじ５０を螺合して締め付けるようにすれば、同軸ケーブルの外部導体を載置部３２と挟持部４４との間に挟持して、同軸ケーブルを筐体４の外壁面にしっかりと固定することができる。
【００３９】
また、載置部３２と挟持部４４との対向面には、同軸ケーブルの外部導体の外形形状に対応して凹部３４、３６が形成されており、同軸ケーブルを固定する際には、外部導体を凹部３４、３６の間で挟持することができる。このため、載置部３２と挟持部４４とで同軸ケーブルの外部導体を挟持させた際、扁平な板の間に挟んだときのように、外部導体が必要以上に変形して、伝送インピーダンスが大きく変動するのを防止できる。
【００４０】
また、載置部３２と挟持部４４とで同軸ケーブルの外部導体を挟持させた際、外部導体を挟持した凹部３４、３６の周りでは、支持ねじ５０によって、載置部３２と挟持部４４とが接続される。
【００４１】
このため、本実施形態の同軸ケーブル接続端子１０〜１４によれば、同軸ケーブルを接続した際、芯線用端子２０及びこれに接続される芯線は、壁部３０、載置部３２、蓋体４０及び同軸ケーブルの外部導体により囲まれることになり、その空間内に高周波ノイズが侵入して、芯線用端子２０に高周波ノイズが重畳されるのを、確実に防止することができる。
【００４２】
以上、本発明の一実施形態について説明したが、本発明は上記実施形態に限定されるものではなく、本発明の要旨を逸脱しない範囲内にて種々の態様をとることができる。
例えば、蓋体４０の板状部４２は、壁部３０の内側に嵌合して、その先端内壁全域に接触することにより、芯線用端子２０を隙間なく覆うものであるが、蓋体４０や壁部３０の製造時の誤差によって、隙間ができることも考えられる。
【００４３】
そこで、図３に示すように、蓋体４０の裏面には、壁部３０との接続をより確実にするための板ばね５２を設けるようにしてもよい。なお、図３に示す板ばね５２は、例えば、りん青銅板等からなるばね性導電材を、蓋体４０と略同形状にし、しかも、板状部４２に対応するＵ字部分周縁に、壁部３０の内壁に当接されるばね片を形成したものであり、このばね片により、蓋体４０の板状部４２と壁部３０とをより確実に接続させることができる。
【００４４】
但し、蓋体４０の板状部４２と壁部３０との接続をより確実に行うためには、必ずしもこうした板ばね５２を使用する必要はなく、例えば、板状部４２の周囲に、壁部３０の内壁に嵌合する部分と、壁部３０の先端に当接する部分とが形成されるように、段差を設けるようにしてもよい。なお、このようにした場合でも、板ばね５２を設けることはできる。
【００４５】
また次に、上記実施形態では、直列ユニット２には、３つの同軸ケーブル接続端子が設けられるものとして説明したが、本発明が適用される直列ユニットは、テレビ信号の入出力用の２つの同軸ケーブル接続端子が設けられたものであっても、テレビ信号入力用の同軸ケーブル接続端子だけが設けられたものであってもよい。
【００４６】
また、本発明の同軸ケーブル接続端子は、直列ユニットには限らず、同軸ケーブルを介して信号が入出力される電子機器であれば、上記実施形態と同様に設けて、同様の効果を得ることができる。
【符号の説明】
【００４７】
２…直列ユニット、４…筐体、６…Ｆ型接栓、８…装着部、１０〜１４…同軸ケーブル接続端子、２０…芯線端子、２０…芯線用端子、２２…台座部、２４…ねじ、２６…端子ホルダ、３０…壁部、３２…載置部、３４…凹部、３６…ねじ孔、４０…蓋体、４２…板状部、４４…挟持部、４６…凹部、５０…支持ねじ。
【図１】
2010238607.tif 000003
【図２】
2010238607.tif 000004
【図３】
2010238607.tif 000005
【図４】
2010238607.tif 000006
【図５】
2010238607.tif 000007